(57)【要約】【課題】悪臭を発生する生ごみや漬け物などの臭いの強い物品を収納場所の臭気を脱臭し快適な住空間を提供することを目的とする【解決手段】臭気吸気口１４と外気吸気口１０は風路切換手段１６の上流側に配置し、風路切換手段１６から排気口へ１１到る経路の途中に脱臭媒体１９を配置し、送風装置２０により外気吸気口１０または臭気吸気口１４から排気口１１に至る空気流を形成してなる風路を備え、風路切換手段１６および送風装置２０とを電気的に接続した制御手段２１で制御することにより、臭気を含んだ空気を臭気吸気口より吸い込み、風路切換手段を通過して送風装置へ吸引され、この間で脱臭媒体を通過して脱臭された空気が排気口より室内に放出され、快適な住空間を提供することができる。【選択図】図３
2006034878.tif 000002
【特許請求の範囲】
【請求項１】
臭気吸気口、外気吸気口、排気口と、脱臭媒体および風路切換手段、送風装置、制御手段とを備え、臭気吸気口と外気吸気口は風路切換手段の上流側に配置し、風路切換手段から排気口へ到る経路の途中に脱臭媒体を配置し、送風装置により外気吸気口または臭気吸気口から排気口に至る空気流を形成してなる風路を備え、風路切換手段および送風装置とを電気的に接続した制御手段で制御する脱臭装置。
【請求項２】
風路切換手段は、制御手段により送風装置の停止中は外気吸気口を選択し、送風装置の動作中は臭気吸気口と外気吸気口を選択自在に切り換えて運転をおこなう請求項１に記載の脱臭装置。
【請求項３】
送風装置は送風量が可変可能である請求項１または２に記載の脱臭装置。
【請求項４】
人体検知手段を備え、人体の近接または離反を検知して運転または停止をおこなう請求項１〜３のいずれか１項に記載の脱臭装置。
【請求項５】
前面に開放面を有し、その他の面が閉塞面からなる収納区画の内部または収納区画に隣接して請求項１〜４のいずれか１項に記載の脱臭装置を設置し、臭気吸気口を収納区画内部に向けて開放し、収納区画の前面より出し入れ自在な収納容器を備えた脱臭収納庫。
【請求項６】
収納容器の出し入れを検知する格納検知手段を備え、収納容器の取り出し状態では、送風装置を連続的に運転し、収納容器が格納状態では、送風装置を間欠的に運転してなる請求項５に記載の脱臭収納庫。
【請求項７】
開閉自在の閉塞手段を有する収納庫の内部または収納庫に隣接して請求項１〜４のいずれか１項に記載の脱臭装置を設置し、収納庫の外部と内部を連通する風路に風路開閉手段を有する外気供給手段を備え、収納庫内に出し入れ自在な収納容器を備え、脱臭装置の臭気吸気口を前記収納庫内部に開放し、脱臭装置の外気吸気口と排気口を収納庫外部に開放した脱臭収納庫。
【請求項８】
外気供給手段を脱臭装置に一体に設置した請求項７に記載の脱臭装置。
【請求項９】
収納庫内に出し入れ自在な収納容器を設置し、収納容器の出し入れを検知する格納検知手段または閉塞手段の開閉状態を検知する閉塞検知手段を備え、収納容器の取り出し状態または閉塞手段が開成状態では送風装置を連続的に運転し、収納容器が格納状態または閉塞手段が閉成中は送風装置を間欠的に運転してなる請求項７または８に記載の脱臭収納庫。
【請求項１０】
格納検知手段または閉塞検知手段が収納容器の取り出し状態または閉塞手段の開成状態を検知中に行う送風装置の連続運転は、一定時間後に停止する請求項６または９に記載の脱臭収納庫。
【請求項１１】
格納検知手段または閉塞検知手段が収納容器の取り出し状態または閉塞手段の開成状態を検知中は、風路切換手段は臭気吸気口を選択し、送風装置は高能力で運転し、収納容器の収納状態または閉塞手段の閉成状態を検知中は、送風装置は低能力で運転し、風路切換手段は臭気吸気口と外気吸気口を選択自在に切り換えて運転をおこなう請求項６、９、１０のいずれか１項に記載の脱臭収納庫。
【請求項１２】
風路開閉手段は、制御手段により送風装置の停止中は閉成状態を選択し、送風装置の動作中は風路切換手段が外気供給口選択しているときは閉成状態とし、風路切換手段が臭気吸気口を選択しているときは開成状態とする請求項７〜１１のいずれか１項に記載の脱臭収納庫。
【発明の詳細な説明】
【技術分野】
【０００１】
本発明はキッチン等で使用する収納装置に設置して、悪臭を脱臭する脱臭装置に関するものである。
【背景技術】
【０００２】
従来、この種の脱臭収納庫は、収納物から発生する臭気を送風装置で吸引し戸外に排出している（例えば、特開文献１参照）。
【０００３】
図８は、特開文献１に記載された従来の脱臭装置を示すものである。図８に示すように、キャビネット１の内の引き出し台２上に載置されたごみ収納容器３と、戸外に連通するダクト４に接続した排気ファン５から構成されている。
【特許文献１】特開２０００−２１０１４２号公報
【発明の開示】
【発明が解決しようとする課題】
【０００４】
しかしながら、前記従来の構成では、臭気は排気ファンとダクトで戸外に排出する構成なので、必ず戸外に連通するダクトを設置する必要があり、設置場所が制限されるという課題を有していた。
【０００５】
本発明は、前記従来の課題を解決するもので、設置場所の制約を受けずに、悪臭を発生する生ごみ等の収納場所を効果的に脱臭し、快適な住空間を実現する使い勝手の良い脱臭装置を提供することを目的とする。
【課題を解決するための手段】
【０００６】
前記従来の課題を解決するために、本発明の脱臭装置は、臭気吸気口、外気吸気口、風路切換手段と、送風装置、排気口、脱臭媒体、制御手段とを備え、臭気吸気口と外気吸気口は風路切換手段を介して送風装置の吸気側に連通し、さらに排気口への排気経路の途中に脱臭媒体を設置し、風路切換手段および送風装置と電気的に接続した制御手段で制御する脱臭装置としたものである。
【０００７】
これによって、臭気を含んだ空気を臭気吸気口より吸い込み、風路切換手段を通過して送風装置へ吸引され、この間で脱臭媒体を通過して脱臭された空気が排気口より室内に放出される。一定時間脱臭運転した後、制御装置により風路切換手段が外気吸気側に切り換わり、外気吸気口より新鮮な外気が吸引され、脱臭媒体に新鮮な外気が送風されることにより脱臭媒体は活性化される。
【発明の効果】
【０００８】
以上のように、請求項１から１２のいずれか１項記載の発明によれば、脱臭媒体は脱臭作用に使用される毎に必ず活性化されるため、脱臭媒体は長期間に亘り脱臭機能を維持することができる。
【発明を実施するための最良の形態】
【０００９】
第１の発明は、臭気吸気口、外気吸気口、排気口と、脱臭媒体および風路切換手段、送風装置、制御手段とを備え、臭気吸気口と外気吸気口は風路切換手段の上流側に配置し、風路切換手段から排気口へ到る経路の途中に脱臭媒体を配置し、送風装置により外気吸気口または臭気吸気口から排気口に至る空気流を形成してなる風路を備え、風路切換手段および送風装置とを電気的に接続した制御手段で制御する構成とすることにより、臭気を含んだ空気を臭気吸気口より吸い込み、風路切換手段を通過し、脱臭媒体を通過することで、臭気が軽減された空気が排気口より室内に放出される。一定時間脱臭運転した後、制御装置により風路切換手段が外気吸気側に切り換わると、外気吸気口より新鮮な外気が吸引され、脱臭媒体に新鮮な外気が供給されることにより脱臭媒体が活性化され、脱臭媒体は脱臭作用に使用される毎に必ず活性化されるため、脱臭媒体は長期間に亘り脱臭機能を高い性能で維持することができる。
【００１０】
第２の発明は、特に、第１の発明の風路切換手段を制御手段により、送風装置の停止中は外気吸気口を選択し、送風装置の作動中は臭気吸気口と外気吸気口を選択して切り換えることにより、単一の風路切換手段を用いて、臭気吸気口を閉塞する動作と、新鮮空気により脱臭媒体を活性化する動作が同時に実施可能となり、脱臭装置の構成を簡素化することができる。
【００１１】
第３の発明は、特に、第１または第２の発明の送風装置に送風量が可変可能としたことにより、脱臭装置の使用設置状態、臭気の強弱、脱臭媒体の活性化等の状況に合わせて最適な送風量を設定することにより効果的な脱臭を行うことができる。
【００１２】
第４の発明は、特に、第１〜３のいずれか１つの発明の脱臭装置に人体検知手段を備え、人体の近接または離反を検知して運転または停止をおこなうことにより、脱臭装置に人が近づき作業を開始する前に、脱臭運転を開始することができ、作業開始前から脱臭装置は運転を開始しているため、臭気の多くは除去されているため、作業者は快適に作業をすることができる。また、人が不在である状態を検知して、脱臭装置の運転状態を自在に設定することも可能となり、より効率的な脱臭運転が実現できる。
【００１３】
第５の発明は、前面に開放面を有し、その他の面が閉塞面からなる収納区画の内部または収納区画に隣接して第１〜４のいずれか１つの発明の脱臭装置を設置し、臭気吸気口を収納区画内部に向けて開放し、収納区画の前面より出し入れ自在な収納容器を備えた構成することにより、収納容器内の収納物から発散する臭気を、室内に直接放散することなく脱臭装置で脱臭するととなり、室内空間の臭気強度を効果的に低減することができ、快適な空間を維持することができる。
【００１４】
第６の発明は、特に、第５の発明の脱臭収納庫に、収納容器の出し入れを検知する格納検知手段を備え、収納容器の取り出し状態では、送風装置を連続的に運転し、収納容器が格納状態では、送風装置を間欠的に運転する構成とすることにより、収納容器を引き出してごみ捨て作業をおこなう時は、送風装置は連続的に運転されるため臭気を感じることを抑制でき快適性が向上し、収納容器を格納した状態においては、送風装置は間欠運転されるため、電気代の削減、静音化あるいは送風装置の耐久性を延ばすことができ、使い勝手と経済性と耐久性を確保することができる。
【００１５】
第７の発明は、開閉自在の閉塞手段を有する収納庫の内部または収納庫に隣接して第１〜４のいずれか１つの発明の脱臭装置を設置し、収納庫の外部と内部を連通する風路に風路開閉手段を有する外気供給手段を備え、収納庫内に出し入れ自在な収納容器を備え、脱臭装置の臭気吸気口を前記収納庫内部に開放し、脱臭装置の外気吸気口と排気口を収納庫外部に開放した構成とすることにより、収納庫ないに置かれた収納物から発散する臭気を、室内に直接放散することなく脱臭装置で脱臭するととなり、室内空間の臭気強度を効果的に低減することができ、快適な空間を維持することができる。
【００１６】
第８の発明は、特に、第７の発明の外気供給手段を脱臭装置に一体に設置することにより、収納庫の構造が簡単な箱形キャビネット構造となりため、一般的な家具やキャビネットに脱臭装置を設置することにより、脱臭収納庫を容易に製作することができる。
【００１７】
第９の発明は、第７または第８の発明の脱臭収納庫に、収納庫内に出し入れ自在な収納容器を設置し、収納容器の出し入れを検知する格納検知手段または閉塞手段の開閉状態を検知する閉塞検知手段を備え、収納容器の取り出し状態または閉塞手段が開成状態では送風装置を連続的に運転し、収納容器が格納状態または閉塞手段が閉成中は送風装置を間欠的に運転することにより、開閉手段を開いたり、収納容器を引き出してごみ捨て作業をおこなう時は、送風装置は連続的に運転されるため臭気を感じることを抑制でき快適性が向上し、収納容器を格納した状態においては、送風装置は間欠運転されるため、電気代の削減、静音化あるいは送風装置の耐久性を延ばすことができ、使い勝手と経済性と耐久性を確保することができる。
【００１８】
第１０の発明は、特に第６または第９の発明の格納検知手段または閉塞検知手段が収納容器の取り出し状態または閉塞手段の開成状態を検知中に行う送風装置の連続運転を、一定時間後に停止することにより、収納庫や収納容器の清掃などを行う場合など開放状態が長時間になれば、送風装置を停止することにより電気代の節減が自動的に図られる。
【００１９】
第１１の発明は、特に、第６、第９、第１０の発明の格納検知手段または閉塞検知手段が収納容器の取り出し状態または閉塞手段の開成状態を検知中は、風路切換手段は臭気吸気口を選択し、送風装置は高能力で運転し、収納容器の収納状態または閉塞手段の閉成状態を検知中は、送風装置は低能力で運転し、風路切換手段は臭気吸気口と外気吸気口を選択自在に切り換えて運転をおこなうことにより、使用状況に最適な効果的な送風装置の運転を実施することとなり、脱臭の効果と経済性を確保し、騒音を逓減する等使い勝手の良い脱臭装置を提供することができる。
【００２０】
請求項１２の発明は、特に、第７〜１１のいずれか１つの発明の風路開閉手段は、制御手段により送風装置の停止中は閉成状態を選択し、送風装置の動作中は風路切換手段が外気供給口選択しているときは閉成状態とし、風路切換手段が臭気吸気口を選択しているときは開成状態とすることにより、臭気源を収納する空間を閉塞する動作と、送風装置の運転を連動することができ、室内への臭気の放散を確実に防止することができる。
【００２１】
以下、本発明の実施の形態について、図面を参照しながら説明する。なお、この実施の形態によって本発明が限定されるものではない。
【００２２】
（実施の形態１）
図１は本発明の第１の実施の形態における脱臭装置の正面図、図２は本実施の形態における脱臭装置７の縦断面図、図３は本実施の形態における脱臭装置の内部構成を示す横断面図である。
【００２３】
図に示すように、物品の収納区画６は、システムキッチンのカウンター６ａの下部に位置し、両側に隣接するキャビネット６ｂと後壁面６ｃおよび床面６ｄにより区画構成した前方開放の空間である。カウンター６ａの下面に本発明の脱臭装置７を水平方向の仕切板６ｆを介して載置し、仕切板６ｆの下方には、収納部の収納容器８として２個のごみ箱が引き出し移動自在なワゴン９に載置されカウンター６ａ下に格納配置されている。
【００２４】
脱臭装置７の前面には外気吸気口１０と排気口１１と運転スイッチ１２と人体検知手段１３を配設し、外気吸気口１０と排気口１１はいずれも前方に向かって開放し、脱臭装置７の後方では、臭気吸気口１４を配設し、下方に設置した収納容器８に向かって開放している。
【００２５】
また、ワゴン９が収納区画６から出し入れされることを検知する格納検知手段１５は、仕切板６ｆの下面にワゴン９に向けて取付した磁気スイッチ１５ａと、ワゴン９が正規位置に格納された状態で、前記磁気スイッチ１５ａに近接対向する位置にマグネット１５ｂをワゴン９に取付して構成している。
【００２６】
脱臭装置７は、外気吸気口１０に連通する外気吸気区画１０ａと臭気吸気口１４に連通する臭気吸気区画１４ａおよび排気口１１に連通する排気区画１１ａが、風路切換手段１６としてのステッピングモータ１７と回動式弁体１８を中心にして、それぞれ３方向の対峙位置に接続配置され、前記回動式弁体１８は、排気区画１１ａに対して、外気吸気区画１０ａおよび臭気吸気区画１４ａを選択自在に開閉する。
【００２７】
排気区画１１ａには、風路切換手段１６の下流側より順に、脱臭媒体１９、遠心式ファンとモータからなる送風装置２０を接続し、送風装置２０の排気口側２０ａは排気口１１と連通する風路を形成している。
【００２８】
また運転スイッチ１２と風路切換手段１６と送風装置２０および人体検知手段１３および格納検知手段１５は電気的に接続した制御手段２１で制御できる構成となっている。
【００２９】
以上のように構成された脱臭装置７について、以下その動作、作用を説明する。
【００３０】
まず、通常の運転モードにおいては、運転スイッチ１２にて運転させると、制御手段２１により風路切換手段１６は外気吸気区画１０ａを閉塞する形態になるように、ステッピングモータ１７により回動式弁体１８が回動した後に図示（ア）位置で定位し、これに同期して送風装置２０が運転を開始する。
【００３１】
収納容器８から発生する臭気を含んだ空気は、臭気吸気口１４から吸引され、臭気吸気区画１４ａを通過し、風路切換手段１６、排気区画１１ａ、脱臭媒体１９、送風装置２０の順に排気口１１に到達し、脱臭装置７外へ排出される。この時収納容器近傍の空気は、脱臭媒体１９を通過することにより、臭気成分が低減されて室内に放出される。
【００３２】
上記の運転が一定時間経過した後、制御手段２１により風路切換手段１６は臭気吸気区画１４ａを閉塞する形態になるように、ステッピングモータ１７により回動式弁体１８が回転した後に図示（イ）位置で定位する。
【００３３】
この状態で送風装置２０の運転を継続させ、外気吸気口１０から導入された新鮮空気が、風路切換手段１６を通過し、脱臭媒体１９に供給され、脱臭媒体１９の活性化を行い、さらに一定時間運転をした後に送風装置２０が停止する。
【００３４】
一定時間停止した後は、上記の運転を再び繰り返し、送風装置２０は一定間隔で間欠運転を継続する。
【００３５】
ここで、上記のいずれかの運転モード中に、脱臭装置７に人が近づくと、人体検知手段１３より発せられる赤外線が人体に反射することを検知した信号により、制御手段２１は風路切換手段１６を、外気吸気区画１０ａを閉塞する形態に制御し、さらに送風装置２０を上記の間欠運転を行う場合より高能力で一定時間連続運転する。これにより、臭気吸気口１４より吸引される収納容器８近傍の臭気空気量が通常の間欠運転時よりも増加することとなり、ごみの出し入れの作業をおこなう人が感じる臭気を軽減することができる。
【００３６】
上記の人体検知を伴なう運転の後、制御手段２１により、再び通常の間欠的な運転に自動的に復帰する。
【００３７】
また、人体検知手段１３が、一定時間内に人体を検知することなく状態継続する場合には、送風装置２０を運転停止させる間欠間隔を長く設定するように制御手段２１を構成することも可能であり、例えば夜間や不在時などは、ごみの出し入れ作業が行われないので、電気代あるいは運転音を逓減する効果を附加することができ、より好適である。
【００３８】
さらに、運転中にワゴン９を手前に引き出し、ごみを投入したり収納容器８をワゴン９から取り出す場合等には、格納検知手段１５は、磁気スイッチ１５ａとマグネット１５ｂの相対位置が、検知範囲を逸脱するので、制御手段２１は通常の運転モードを中断し、風路切換手段１６により排気区画１１ａと臭気吸気区画１４ａを連通する風路を形成し、送風装置２０を連続的に高能力で運転をおこなうことにより、ごみの出し入れの作業をおこなう人が臭気を感じないで作業ができる。さらに、収納容器８の清掃やメンテナンス等で格納検知手段１５が開成状態を継続して検知している場合は、送風装置２０の運転を一定時間後に停止させることにより、電気代の節約に効奏する。
【００３９】
以上のように、本実施の形態においては通常の間欠運転の運転モードと、人体検知あるいは収納部の格納検知による連続運転の運転モードを設けることにより、ごみの出し入れの作業中は臭気を感じないで快適に作業することができ、通常の設置状態では臭気が室内へ拡散することを継続的に防止することができ、しかも、時間の長い通常の設置状態では間欠運転を行うため、電気代の削減ができ、また送風装置の耐久性も延ばすことができる。
【００４０】
また、臭気媒体の活性化を自動的に実施しているため長時間に亘り脱臭媒体の能力を維持することができ、またそのための手間も省ける。
【００４１】
また、本発明の脱臭装置７は屋外に排気を行うダクトが不要のため、設置場所の制約を受けることがなく、室内の何処にでも設置可能なものである。
【００４２】
なお、本実施の形態においては、脱臭媒体を活性化する外気吸気による運転を通常運転モードにおける毎回の間欠運転時に実施しているが、脱臭媒体の性能や使用時間、また臭気の度合等にあわせて回数を変化させたり、または、通常運転モードでは実施せずに一定の運転時間が経過した後に専用の運転モードで実施することでも、同様な効果を発揮することができる。
【００４３】
また、本実施の形態のように、脱臭装置７と臭気発生源である収納容器８は、直接機械的な接触をせず、所定空間を離隔して配設されているのみであり、脱臭装置７を臭気発生源の直上近傍に配置することにより、室内に臭気を拡散することなく快適性を確保することができ、かつ、保管対象物の寸法に制限を受けることなく脱臭装置を設置することが可能であるので、利便性が高いものとなる。
【００４４】
（実施の形態２）
図４は本発明の第２の実施の形態における脱臭収納庫の縦断面図、図５は脱臭収納庫の正面図、図６は脱臭収納庫に組み込んだ脱臭装置の平面断面図を示すものである。
【００４５】
図において、収納庫２２は、前面開口より引き出し自在になる引き出し台２３およびこの前面開口に閉塞自在に設けたとする扉２３ａ有した構成とし、該引き出し台２３に臭気源を保管する収納容器２４を載置している。
【００４６】
一方、収納庫２２の上方には、収納庫２２の上方を密閉する形態に設けた仕切板２２ａを隔てて、その上方に脱臭装置２５を設置し、さらに前記の扉２３ａの上方にあって脱臭装置２５の前面には、外気吸気口１０と排気口１１と運転スイッチ１２と人体検知手段１３を配設し、外気吸気口１０と排気口１１はいずれも前方に向かって開放している。
【００４７】
脱臭装置２５は、その後方に、臭気吸気口１４と外気供給口２６を、それぞれ下方に配置した収納庫２２内部空間に向かって開放し、これに連通して臭気吸気区画１４ａおよび外気供給区画２６ａが、前記仕切板２２ａを貫通する形態にて、脱臭装置２５内に風路形成されている。
【００４８】
さらに脱臭装置２５は、外気吸気口１０に連通する外気吸気区画１０ａと排気口１１に連通する排気区画１１ａ、前記の外気供給区画２６ａおよび臭気吸気区画１４ａが、第１および第２を併せた風路切換手段２７としてのステッピングモータ１７と回動式弁体２８を中心にして、それぞれ４方向に対峙位置に接続配置され、前記回動式弁体２８は、排気区画１１ａに対して、外気吸気区画１０ａまたは臭気吸気区画１４ａを閉塞可能に選択自在に開閉される。
【００４９】
一方、収納庫２２の奥方中央部には、引き出し台２３の開閉を検知する閉塞検知手段２９として、磁気スイッチ１５ａを設置し、引き出し台２３が閉成された状態で、前記磁気スイッチ１５ａと近接相対する位置に、マグネット１５ｂを引き出し台２３の後板２３ｂに嵌着係止している。
【００５０】
また運転スイッチ１２と風路切換手段２７と送風装置２０および人体検知手段１３と閉塞検知手段２９は電気的に接続した制御手段３０で制御できる構成となっている。
【００５１】
なお、実施の形態１と同一符号のものは同一構造を有し説明は省略する。
【００５２】
以上のように構成された脱臭装置２５について、以下その動作、作用を説明する。
【００５３】
まず、通常の運転モードにおいては、外気吸気区画１０ａと外気供給区画２６ａを連通し、かつ臭気吸気区画１４ａと排気区画１１ａを連通する形態に、風路切換手段２７の回動式弁体２８が、図示（ウ）位置で定位し、外気吸気区画１０ａから外気供給区画２６ａを通り収納庫２２内を経て、臭気吸気区画１４ａから排気区画１１ａに至る風路が形成される。
【００５４】
次に、外気吸気区画１０ａと排気区画１１ａを連通し、かつ臭気吸気区画１４ａと外気供給区画２６ａを連通する形態に、回動式弁体２８が図示（エ）位置で定位した状態で、送風装置２０を運転すると、新鮮な外気が脱臭媒体１９に直接導入され、脱臭媒体１９の活性化が行われる。また、送風装置２０を停止させるモードにあっては、回動式弁体２８が図示（エ）位置に定位することにより、臭気吸気区画１４ａと外気供給区画２６ａが連通し、前記２区画がいずれも、外気吸気区画１０ａあるいは排気区画１１ａと離隔され、収納庫２２内に連通する空間が閉塞される状態が形成され、収納庫２２の扉２３ａと併せて、収納庫２２の密閉性は確保される。
【００５５】
以上により、外気吸気区画１０ａと外気供給区画２６ａ間に配した吸気排出開口１０ｂを開放あるいは閉塞することにより、第２の風路切換手段としての機能が形成されている。
【００５６】
また、実施の形態１と異なる点は、通常の運転モードにおいて、臭気吸気口１４から吸引される空気は、収納容器２４から収納庫２２の内部に放散した臭気を含んだ空気であり、収納庫２２内へは、脱臭装置２５の吸気口１０を経由し外気供給口２６から導入された新鮮空気が補充され、収納庫２２内の臭気濃度をより一層低減させる効果を有する。
【００５７】
一方、運転中に収納容器２４にごみを投入したり、収納容器２４を取り出すために引き出し台２３を開いた場合には、実施の形態１と同様に、閉塞検知手段２９により制御された送風装置２０を連続的に高能力で運転をおこない、また、一定時間後に送風装置２０の運転を停止させることもでき、ごみの出し入れの作業をおこなう人が臭気を感じないで作業ができる利便性を提供できる。
【００５８】
さらに、閉塞検知手段２９が引き出し台２３の開成状態を継続して検知している場合は、ブザー等の鳴動手段により、使用者に引き出し台２３の開放放置を知らせることも可能となり、密閉可能な収納庫２２への臭気発生物の収納等に関しては、臭気の室内拡散を抑制すべく、より利便性の高い脱臭装置の運転制御も可能である。
【００５９】
また、本実施の形態においては、第１と第２の風路切換手段が、回転軸を対称として両翼に弁体を有した単一の回動式弁体２８とステッピングモータ１７により構成されており、脱臭装置のコストダウンに効奏するとともに、制御手段３０の構成も簡素化される。
【００６０】
以上のように、本実施の形態の効果において実施の形態１と異なる点は、本実施の形態において、収納容器は密閉閉塞可能な収納庫の内部に設置しているため、たとえ収納容器から臭気が放散しても室内にまで放散することがなく、室内をより快適に維持することができ、しかも、吸気する空気は収納庫内の限られた空間の空気であるため、より効果的に吸気と脱臭ができ、また送風装置の能力も低いものでの対応が可能となり、コスト、ランニングコスト両面にわたり経済的な効果を備えたものである。
【００６１】
また、収納容器を収納庫内に隠蔽した構成であるため、見映えが良く室内空間のインテリア性が向上し快適な住空間が提供できるものである。
【００６２】
（実施の形態３）
図７は、本発明の第３の実施の形態における脱臭収納庫の縦断面図を示すものである。
【００６３】
図において、収納庫３１は、外気供給手段３２として、底板３１ａに開口部３１ｂ、蹴込み板３１ｃ前面に開口部３２ａを備え、相互の開口をダクト３２ｂで空気連通するとともに、空気流による風圧を用いて水平方向から少許上方へ跳ね上げ回動動作する風路開閉手段３２ｃを底板３１ａの開口部３１ｂ近傍に備えている。
【００６４】
収納庫３１内の前面には、収納庫３１内を閉塞密閉可能にし、ヒンジ体（図示せず）により開閉自在な扉３１ｄを備え、さらに収納庫３１内部には収納物を載置する棚３１ｅを装着している。
【００６５】
また、収納庫３１前面縁近傍には、扉３１ｄ裏面との間には、扉３１ｄの閉塞開閉を検知する閉塞検知手段２９を実施の形態２と同様の構成で設けている。
【００６６】
脱臭装置７に備えた制御手段（図示せず）は、実施の形態１に対して、扉３１ｄの閉塞検知手段２９の検知信号を制御することを附加したものであり、運転スイッチ、人体検知手段、送風装置、風路切換手段、閉塞検知手段は、実施の形態１または２のいずれかもしくは組み合わせの構成にて運転制御される。
【００６７】
なお、実施の形態１または２と同一符号のものは同一構造を有し説明は省略する。
【００６８】
以上のように構成された脱臭収納庫について、以下その動作、作用を説明する。
【００６９】
実施の形態１あるいは２と異なる点は、脱臭装置７の風路切換手段１６が、臭気吸気区画１４ａを風路として選択している場合に、送風装置２０が運転されると、臭気吸気口１４から収納庫３１内の臭気空気を吸引するため収納庫３１内が負圧となり、第２の外気吸気手段３２の風路開閉手段３２ｃが少許上方に跳ね上がり、図示（オ）位置に定位し、蹴込み板３１ｃの開口部３２ａから新鮮な外気が収納庫３１内に供給される。この新鮮外気が、収納庫３１内の臭気空気を排送し脱臭装置７に導入されることにより、実施の形態１と同じく、臭気空気は臭いを軽減して室内に排出される。
【００７０】
本実施の形態にあっては、脱臭装置と臭気発生源と外気吸気口の位置をそれぞれ大きく離すことが可能であり、臭気発生源を収納する収納庫あるいは収納容器が大容量の場合でも、外気吸気口から脱臭装置に亘り、滞留あるいは短絡することなく空気流を形成できるので、より効率的な脱臭運転が可能となる。
【００７１】
なお、前記実施の形態２に記載の脱臭収納庫は本実施の形態３における外気供給手段３２の構成を、脱臭装置に一体的に設置したものである。
【００７２】
また、実施の形態１から３において脱臭の対象物をごみとしたがこれに限るものではなく、漬け物や履き物などの強い臭気を発するものに対しても、効果的に使用することができるものである。
【００７３】
また、いずれの実施の形態においても、風路切換手段はステッピングモータと回動式弁体としたが、電磁ソレノイドと復元バネを組み合わせ、弁体を作動位置と復帰位置の間で往復動作するとも可能であり、この方式によれば、例えば停電時など電源が断たれた場合にでも、弁体は、臭気を遮断する位置に復元バネにより定位させることが可能であり、より好適な構成となる。
【産業上の利用可能性】
【００７４】
以上のように、本発明にかかる脱臭装置および脱臭収納庫は、脱臭媒体は脱臭作用に使用される毎に必ず活性化されるため、脱臭媒体は長期間に亘り脱臭機能を維持することが可能となるので、家庭用に限らず、医療用、産業用の脱臭装置などの用途にも適用できる。
【図面の簡単な説明】
【００７５】
【図１】本発明の実施の形態１における脱臭収納庫の正面図
【図２】本発明の実施の形態１における脱臭収納庫の縦断面図
【図３】本発明の実施の形態１における脱臭装置の平面断面図
【図４】本発明の実施の形態２における脱臭収納庫の縦断面図
【図５】本発明の実施の形態２における脱臭収納庫の正面図
【図６】本発明の実施の形態２における脱臭装置の平面断面図
【図７】本発明の実施の形態３における脱臭収納庫の縦断面図
【図８】従来の脱臭収納庫の断面図
【符号の説明】
【００７６】
６  収納区画
７、２５  脱臭装置
８、２４  収納容器
１０  外気吸気口
１１  排気口
１３  人体検知手段
１４  臭気吸気口
１５  格納検知手段
１６、２７  風路切換手段
１９  脱臭媒体
２０  送風装置
２１、３０  制御手段
２２、３１  収納庫
２９ 閉塞検知手段
３２  外気供給手段
３２ｃ  風路開閉手段
【図１】
2006034878.tif 000003
【図２】
2006034878.tif 000004
【図３】
2006034878.tif 000005
【図４】
2006034878.tif 000006
【図５】
2006034878.tif 000007
【図６】
2006034878.tif 000008
【図７】
2006034878.tif 000009
【図８】
2006034878.tif 000010